(57)【要約】【課題】養生対象に被せ易く破れにくい養生シートを提供できる。【解決手段】養生対象２０に養生シート１０を被せる。養生シート１０は、上面シート部１１と、上面シート部１１の幅方向の端部に側方折り目１０ｆを介して連なる側面シート部１２と、上面シート部１１の長手方向の端部に端側折り目１０ｅを介して連なる端面シート部１３を備えている。これらシート部１１〜１３が、折り目１０ｅ，１０ｆにおいて折り畳み及び拡開可能であり、かつ長手方向に沿って巻回可能である。【選択図】図１
2019157506.tif 000002
【特許請求の範囲】
【請求項１】
養生対象に被せる養生シートであって、
上面シート部と、
前記上面シート部の幅方向の両端部に側方折り目を介して連なる一対の側面シート部と、
前記上面シート部及び一対の側面シート部の少なくとも１つのシート部の長手方向の端部に端側折り目を介して連なる端面シート部と、
を備え、これらシート部が、前記端側折り目及び側方折り目において折り畳み及び拡開可能かつ長手方向に沿って巻回可能であることを特徴とする養生シート。
【請求項２】
前記上面シート部、側面シート部及び端面シート部の少なくとも１つが、平坦な平シート材と、前記平シート材に重ねられて接合された凹凸付きの凹凸シート材からなる二層シート構造であることを特徴とする請求項１に記載の養生シート。
【請求項３】
前記凹凸シート材が、断面波形状の波形シート材であることを特徴とする請求項２に記載の養生シート。
【請求項４】
前記上面シート部が、前記平シート材を外面側へ向けた二層シート構造であることを特徴とする請求項２又は３に記載の養生シート。
【請求項５】
前記側面シート部が、前記波形シート材を外面側へ向けた二層シート構造であり、前記側面シート部の波形シート材の波形状の幅方向が、前記側方折り目と直交されていることを特徴とする請求項３に記載の養生シート。
【請求項６】
前記側方折り目において、前記上面シート部と前記側面シート部の縁どうしが突き当てられて溶着されていることを特徴とする請求項１〜５の何れか１項に記載の養生シート。
【請求項７】
前記上面シート部及び一対の側面シート部のうち２以上のシート部にそれぞれ連なる２以上の端面シート部どうしが互いに重ね合わされ、かつ接合手段を介して分離可能に接合されることを特徴とする請求項１〜６の何れか１項に記載の養生シート。
【請求項８】
前記接合手段が、面ファスナーを含むことを特徴とする請求項７に記載の養生シート。
【請求項９】
前記２以上の端面シート部のうち直接重ねられる２つの端面シート部における対をなす面ファスナーどうしが、重ね合わされたとき互いに交差する向きに延びていることを特徴とする請求項８に記載の養生シート。
【請求項１０】
前記端面シート部の前記端側折り目以外の縁と、前記側面シート部又は上面シート部の縁とが、係着手段によって係着可能かつ分離可能であることを特徴とする請求項１〜９の何れか１項に記載の養生シート。
【請求項１１】
前記係着手段が、前記端面シート部と前記側面シート部又は上面シート部のうち一方のシート部に突出するように設けられた挿し込み片と、他方のシート部に形成されるとともに前記挿し込み片が挿し込まれる被挿し込み部とを含むことを特徴とする請求項１０に記載の養生シート。
【発明の詳細な説明】
【技術分野】
【０００１】
本発明は、養生対象に被せる養生シートに関し、特に野積みされた建築資材、土木資材などの養生対象に被せるのに好適な養生シートに関する。
【背景技術】
【０００２】
家屋などの建築現場においては、壁材、柱材、梁材などの必要な建築資材を搬入してから建て込む迄の間、適当な空きスペースに野積みしておくことが多い。野積みされた建築資材には、通常、ブルーシートからなる養生シートを被せておく。ブルーシートが汚れたり破れたりしたときは、使い捨てにしている。
【先行技術文献】
【特許文献】
【０００３】
【特許文献１】特開２００４−１６２４９７号公報
【発明の概要】
【発明が解決しようとする課題】
【０００４】
一般に、壁材、柱材、梁材などの建築資材の寸法形状は一定の大きさに規格化されている。野積みの際は、できるだけ、同じ種類の同じ寸法形状の建築資材ごとにまとめられて積み重ねられている。
一方、ブルーシートは、汎用性があるが、建築資材の寸法形状に合わせたものではないから、野積みされた建築資材の角に引っ掛かるなどして破れやすい。また、ブルーシートは、シワ状の凹みが出来易く、そこに雨水や塵埃が溜まりやすい。すると、ブルーシートを剥がす際に、前記凹みの雨水や塵埃が建築資材に移り、建築資材が汚れやすい。
本発明は、かかる事情に鑑み、建築資材などの養生対象に被せやすく、破れにくい養生シートを提供することを目的とする。更に好ましくは、雨水や塵埃が溜まりにくく、養生対象から剥がす際に養生対象を汚さないようにできる養生シートを提供することを目的とする。
【課題を解決するための手段】
【０００５】
前記課題を解決するために、本発明は、養生対象に被せる養生シートであって、
上面シート部と、
前記上面シート部の幅方向の両端部に側方折り目を介して連なる一対の側面シート部と、
前記上面シート部及び一対の側面シート部の少なくとも１つのシート部の長手方向の端部に端側折り目を介して連なる端面シート部と、
を備え、これらシート部が、前記端側折り目及び側方折り目において折り畳み及び拡開可能かつ長手方向に沿って巻回可能であることを特徴とする。
【０００６】
当該養生シートによれば、各シート部の寸法形状を養生対象に合わせることで、養生シートを養生対象に被せやすい。養生対象の角部や縁部には、シート部どうしの折り目や合せ目が被さることで、養生シートを破れにくくすることができる。したがって、養生シートを使い回すことができ、ランニングコストを低減できる。
また、養生シートの各シート部の寸法形状を養生対象に合わせることで、養生シートにシワ状の凹みができにくい。したがって、雨水や塵埃が溜まりにくく、養生シートを養生対象から剥がす際に養生対象を汚さないようにできる。
養生シートの不使用期間は、養生シートを折り畳み、更にロール状に巻くことで、コンパクトにでき、保管、運搬しやすい。
【０００７】
前記上面シート部、側面シート部及び端面シート部の少なくとも１つが、平坦な平シート材と、前記平シート材に重ねられて接合された凹凸付きの凹凸シート材からなる二層シート構造であることが好ましい。
当該養生シートによれば、シート部にコシ（剛性）を付与できる。かつ、養生シートを巻回しやすくできる。
【０００８】
前記凹凸シート材が、断面波形状の波形シート材であることが好ましい。
当該養生シートによれば、シート部にコシ（剛性）を付与できる。波形シート材は、好ましくは整列された複数の凸条と、隣接する凸条どうし間の凹溝とを含む。
【０００９】
前記上面シート部が、前記平シート材を外面側へ向けた二層シート構造であることが好ましい。
当該養生シートによれば、上面シート部上に雨水や塵埃が溜まりにくい。そうすることで、養生シートをめくったり養生対象から剥がして撤去したりする際に養生対象を汚さないようにできる。
【００１０】
前記側面シート部が、前記波形シート材を外面側へ向けた二層シート構造であり、前記側面シート部の波形シート材の波形状の幅方向が、前記側方折り目と直交されていることが好ましい。
当該養生シートによれば、側面シート部の波形シート材の凹溝に沿って雨水を流下させることができ、養生シートをめくったり養生対象から剥がして撤去したりする際に養生対象を汚さないようにできる。
【００１１】
前記側方折り目において、前記上面シート部と前記側面シート部の縁どうしが突き当てられて溶着されていることが好ましい。
当該養生シートによれば、側方折り目を折れ線にして、側面シート部を、上面シート部の外面側へも、上面シート部の内面側へも折り畳むことができる。また、前記シート部どうしをミシン等による縫製で縫い合わせ、ミシン目上に粘着テープやフイルムを熱溶着してもよく、これによって、同様の効果を得ることができる。
【００１２】
前記上面シート部及び一対の側面シート部のうち２以上のシート部にそれぞれ連なる２以上の端面シート部どうしが互いに重ね合わされ、かつ接合手段を介して分離可能に接合されることが好ましい。
養生対象の端面部分には２以上の端面シート部が被さる。これによって、養生対象の端面部分を確実に保護できる。
【００１３】
前記接合手段が、面ファスナーを含むことが好ましい。これによって、端面シート部どうしの接合、分離を容易に行なうことができる。
【００１４】
前記２以上の端面シート部のうち直接重ねられる２つの端面シート部における対をなす面ファスナーどうしが、重ね合わされたとき互いに交差する向きに延びていることが好ましい。
これによって、対をなす面ファスナーどうしを確実に接合できる。ひいては、２つの端面シート部どうしを確実に接合できる。
【００１５】
前記端面シート部の前記端側折り目以外の縁と、前記側面シート部又は上面シート部の縁とが、係着手段によって係着可能かつ分離可能であってもよい。
当該養生シートによれば、養生対象に被せた状態で、端面シート部と側面シート部又は上面シート部との合せ目を係着手段によって留めることで、前記合せ目から雨水や塵埃が養生シートの内部に入り込むのを抑制できる。
【００１６】
前記係着手段が、前記端面シート部と前記側面シート部又は上面シート部のうち一方のシート部に突出するように設けられた挿し込み片と、他方のシート部に形成されるとともに前記挿し込み片が挿し込まれる被挿し込み部とを含むことが好ましい。
当該養生シートによれば、養生対象に被せた状態で、挿し込み片を被挿し込み部に挿し入れることによって、端面シート部と側面シート部又は上面シート部とを確実に留めることができる。
【発明の効果】
【００１７】
本発明によれば、養生対象に被せ易く破れにくい養生シートを提供できる。
【図面の簡単な説明】
【００１８】
【図１】図１（ａ）は、本発明の第１実施形態に係る養生シートを展開（拡開）した状態で外面側から示す平面図である。図１（ｂ）は、前記展開した養生シートを内面側から示す平面図である。
【図２】図２（ａ）は、前記養生シートを畳んだ状態で示す斜視図である。図２（ｂ）は、前記養生シートをロール状に巻いて水平に置いた状態で示す斜視図である。図２（ｃ）は、前記養生シートをロール状に巻いて立てた状態で示す斜視図である。
【図３】図３は、前記養生シートを養生対象に被せる前の斜視図である。
【図４】図４（ａ）〜（ｃ）は、前記養生シートを養生対象に被せる様子を順次示す斜視図である。
【図５】図５（ａ）は、図４（ａ）における養生対象の端面に被さった１の端面シート部の面ファスナーを示す正面図である。図５（ｂ）は、図４（ｂ）における養生対象の端面に被さった２つの端面シート部の互いに接合された面ファスナーを示す正面図である。図５（ｃ）は、図４（ｂ）における養生対象の端面に被さった２つの端面シート部のうち外側の端面シート部の外面の面ファスナーを示す正面図である。図５（ｄ）は、図４（ｃ）における養生対象の端面に被さった３つの端面シート部のうち外側の２つの端面シート部の互いに接合された面ファスナーを示す正面図である。
【図６】図６は、前記養生シートを被せた養生対象の斜視図である。
【図７】図７（ａ）は、図１のＶＩＩａ−ＶＩＩａ線に沿う拡大断面図である。図７（ｂ）は、図１のＶＩＩｂ−ＶＩＩｂ線に沿う拡大断面図である。
【図８】図８は、図１のＶＩＩＩ−ＶＩＩＩ線に沿う断面を反時計まわりに９０度回転させて示す拡大断面図である。
【図９】図９（ａ）は、前記養生シートの側面シート部の折り畳み態様の一例を示す断面図である。図９（ｂ）は、前記側面シート部の他の折り畳み態様を示す断面図である。
【図１０】図１０は、本発明の第２実施形態に係る養生シートを展開（拡開）した状態で示す平面図である。
【図１１】図１１（ａ）は、前記第２実施形態に係る養生シートを畳んだ状態で示す斜視図である。図１１（ｂ）は、前記第２実施形態に係る養生シートをロール状に巻いて水平に置いた状態で示す斜視図である。図１１（ｃ）は、前記第２実施形態に係る養生シートをロール状に巻いて立てた状態で示す斜視図である。
【図１２】図１２は、前記第２実施形態に係る養生シートを養生対象に被せる前の様子を示す斜視図である。
【図１３】図１３は、前記第２実施形態に係る養生シートを被せた養生対象の斜視図である。
【図１４】図１４（ａ）は、本発明の第４実施形態に係る養生シートの上面シート部及び側面シート部を折畳状態で示す断面図である。同図（ｂ）は、前記第４実施形態の上面シート部及び側面シート部を拡開状態で示す断面図である。
【図１５】図１５（ａ）は、本発明の第５実施形態に係る養生シートの上面シート部及び側面シート部を折畳状態で示す断面図である。同図（ｂ）は、前記第５実施形態の上面シート部及び側面シート部を拡開状態で示す断面図である。
【発明を実施するための形態】
【００１９】
以下、本発明の実施形態を図面にしたがって説明する。
＜第１実施形態＞
図１〜図９は、本発明の第１実施形態を示したものである。図３に示すように、家屋などの建築現場には、まとまった数の建築資材２９がロットで搬入される。建築資材２９は、建て込まれる迄の間、適当な空きスペースに野積みされている。
建築資材２９としては、例えば２Ｘ４（ツーバイフォー）材、壁パネル、石膏ボード、柱材、梁材などが挙げられる。建築資材２９の寸法形状は、種類等に応じて一定の大きさに規格化されている。同じ種類の同じ寸法形状の建築資材２９ごとにまとめられて積み重ねられることで、資材積み上げ体２０（養生対象）が構成されている。
一般に、資材積み上げ体２０は、直方体形状になっている。例えば、資材積み上げ体２０の長さは１８００ｍｍ〜５４００ｍｍ程度であり、幅は７００ｍｍ〜９００ｍｍ程度であり、高さは７００ｍｍ〜１２００ｍｍ程度である。もちろん、前記の寸法範囲はあくまでも例示であって、本発明がこれに限定されるものではない。
【００２０】
図６に示すように、資材積み上げ体２０に養生シート１０が被せられている。養生シート１０の寸法、形状は、資材積み上げ体２０に合わせられている。好ましは、養生シート１０は、建築資材２９ひいては資材積み上げ体２０の寸法、形状、種類に合わせて複数種、用意される。各資材積み上げ体２０に、対応する寸法、形状の養生シート１０が被せられている。
【００２１】
図１（ａ）及び同図（ｂ）に示すように、養生シート１０は、上面シート部１１と、一対の側面シート部１２と、６つ（複数）の端面シート部１３とを備え、拡開、折り畳み（図２（ａ））及び巻回可能（図２（ｂ）及び同図（ｃ））である。なお、拡開状態とは、養生シート１０が折り畳み状態（図２（ａ））よりも開き方向へ変態された状態を言い、全体的に平らに展開された展開状態（図１）、及び資材積み上げ体２０の形状に合わせて例えば概略直方体形状にされた使用時の状態（図６）を含む。
【００２２】
上面シート部１１は、資材積み上げ体２０の上面２１に合わせた寸法の長方形状になっている。好ましくは、上面シート部１１の縦横寸法は、資材積み上げ体２０の上面２１の縦横寸法に少し余尺を持たせた寸法になっている。余尺は、例えば５０ｍｍ〜７０ｍｍ程度である。図６に示すように、使用時の養生シート１０における上面シート部１１は、資材積み上げ体２０の上面２１に被さる。
【００２３】
図１に示すように、上面シート部１１の幅方向（第１方向と直交する第２方向）の両端部には、それぞれ側方折り目１０ｆを介して側面シート部１２が連なっている。各側面シート部１２は、資材積み上げ体２０の側面２２に合わせた寸法の長方形状になっている。好ましくは側面シート部１２の寸法に少し余尺があることは、前記上面シート部１１と同様である。使用時の養生シート１０における一対の側面シート部１２は、上面シート部１１と直交（交差）して資材積み上げ体２０の一対の側面２２にそれぞれ被さる。
【００２４】
図１（ａ）及び同図（ｂ）に示すように、上面シート部１１及び一対の側面シート部１２のうち少なくとも１つのシート部の長手方向（第１方向）の端部には、端側折り目１０ｅを介して端面シート部１３が連なっている。ここでは、各シート部１１，１２，１２の両端部に端面シート部１３が設けられている。言い換えると、養生シート１０における長手方向の各端部（図１の左右端部）に３つの端面シート部１３が設けられている。養生シート１０を展開状態にしたとき、これら３つの端面シート部１３が幅方向（図１の上下方向）に並ぶ。各端面シート部１３は、資材積み上げ体２０の端面２３に合わせた寸法の長方形状になっている。好ましくは端面シート部１３の寸法に少し余尺があることは、前記上面シート部１１と同様である。追って詳述するように、各端面シート部１３の両面又は片面には接合手段４０が設けられている。
【００２５】
図４及び図６に示すように、使用時の養生シート１０における前記３つの端面シート部１３は、互いに重ねられて資材積み上げ体２０の端面２３に被さる。以下、前記３つの端面シート部１３を互いに区別するときは、重ねたとき最も内側に位置されるものを端面シート部１３Ａと表記し、中間に位置されるものを端面シート部１３Ｂと表記し、最も外側に位置されるものを端面シート部１３Ｃと表記する。
ここでは、１の側面シート部１２に連なる端面シート部１３が最も内側に位置され、他の側面シート部１２に連なる端面シート部１３が中間に位置され、上面シート部１１に連なる端面シート部１３が最も外側に位置されているが、必ずしもこれに限られず、例えば上面シート部１１に連なる端面シート部１３を最も内側又は中間に位置させてもよい。
【００２６】
図４及び図５に示すように、前記３つの端面シート部１３のうち互いに直接重ね合わされた２つの端面シート部どうしは、接合手段４０を介して分離可能に接合可能である。接合手段４０は、複数の面ファスナー４１〜４４を含む。詳しくは、図１（ａ）に示すように、内側端面シート部１３Ａの外側面に複数の面ファスナー４１が設けられている。図１（ｂ）に示すように、中間端面シート部１３Ｂの内側面に複数の面ファスナー４２が設けられている。図１（ａ）に示すように、中間端面シート部１３Ｂの外側面に複数の面ファスナー４３が設けられている。図１（ｂ）に示すように、外側端面シート部１３Ｃの内側面に複数の面ファスナー４４が設けられている。これら面ファスナー４１〜４４は、長方形状ないしは帯状になっている。
なお、各面ファスナー４１〜４４の長さや配置は適宜設定できる。
【００２７】
図５（ｂ）に示すように、直接重ねられる２つの端面シート部１３Ａ，１３Ｂにおける互いに対面する面ファスナー４１，４２の一方は雄ファスナーであり、他方は雌ファスナーであり、互いに貼り合わせ可能である。これら対をなす面ファスナー４１，４２は、重ね合わされたとき互いに交差する向きに延びている。好ましくは直交する向きに延びている。
同様に、図５（ｄ）に示すように、直接重ねられる２つの端面シート部１３Ｂ，１３Ｃにおける互いに対面する面ファスナー４３，４４の一方は雄ファスナーであり、他方は雌ファスナーであり、互いに貼り合わせ可能である。これら対をなす面ファスナー４３，４４は、重ね合わされたとき互いに交差する向き、好ましくは直交する向きに延びている。
【００２８】
図１に示すように、上面シート部１１及びその両端の端面シート部１３Ｃは、１つの長尺シート部材１０ａによって構成され、互いに一体に連なっている。長尺シート部材１０ａの長手方向の中央部が上面シート部１１となっている。長尺シート部材１０ａの長手方向の両端部が端面シート部１３Ｃとなっている。長尺シート部材１０ａにおける、上面シート部１１と端面シート部１３Ｃとの境目に端側折り目１０ｅが形成されている。
【００２９】
同様に、各側面シート部１２及びその両端の端面シート部１３Ａ又は１３Ｂは、１つの長尺シート部材１０ｂによって構成され、互いに一体に連なっている。長尺シート部材１０ｂの長手方向の中央部が側面シート部１２となっている。長尺シート部材１０ｂの長手方向の両端部が端面シート部１３Ａ又は１３Ｂとなっている。長尺シート部材１０ｂにおける、側面シート部１２と端面シート部１３Ａ又は１３Ｂの境目に端側折り目１０ｅが形成されている。
【００３０】
図８に示すように、側方折り目１０ｆにおいて、側面シート部１２と上面シート部１１との互いに対向する縁どうしが、突き当てられて溶着されている。これによって、図９に示すように、側面シート部１２が、側方折り目１０ｆを中心にして、上面シート部１１の内面側（図９（ａ）において下側）へも、外面側（図９（ｂ）において上側）へも折り畳み可能になっている。ひいては、図２（ａ）に示すように、養生シート１０は、端側折り目１０ｅ及び側方折り目１０ｆにおいて折り畳み可能である。更に、図２（ｂ）及び同図（ｃ）に示すように、養生シート１０は、上面シート部１１の長手方向（第１方向）に巻回してロール状にすることが可能である。
【００３１】
図７（ａ）に示すように、各シート部１１，１２，１３は、平シート材１５と、波形シート材１６からなる二層シート構造になっている。平シート材１５及び波形シート材１６の材質は、例えばポリエチレンであるが、これに限られず、ポリプロピレン、その他の樹脂であってもよい。平シート材１５と波形シート材１６の材質が互いに異なっていてもよい。
【００３２】
平シート材１５は、平坦になっている。
波形シート材１６は、断面波形状の凹凸シート材である。詳しくは、波形シート材１６は、多数（複数）の凸条１６ａ（凸部）と凹溝１６ｂ（凹部）を有している。凸条１６ａは、各シート部１１，１２，１３の幅方向に延びている。かつ、多数（複数）の凸条１６ａが、各シート部１１，１２，１３の長手方向に等間隔で整列されている。隣接する凸条１６ａどうし間には、前記幅方向へ延びる凹溝１６ｂが形成されている。
なお、図１、図３、図６においては、凸条１６ａ及び凹溝１６については一部分だけを図示する。図２においては、凸条１６ａ及び凹溝１６の図示を省略する。
【００３３】
平シート材１５の片面に波形シート材１６が重ねられている。波形シート材１６における凹溝１６ｂの部分が、平シート材１５と溶着されて接合されている。凸条１６ａと平シート材１５との間に空気層１７が形成されている。
【００３４】
シート部材１０ａにおいては、平シート材１５が外面側へ向けられている。シート部材１０ｂにおいては、波形シート材１６が外面側へ向けられている。側面シート部１２の波形シート材１６の波形状の幅方向（凸条１６ａ及び凹溝１６ｂの延び方向）は、側方折り目１０ｆと直交されている。
【００３５】
第１実施形態の養生シート１０は、次のように使用される。
養生シート１０を資材積み上げ体２０に被せる際は、長尺シート部材１０ａ，１０ｂの長手方向を資材積み上げ体２０の長手方向に合わせ、上面シート部１１を資材積み上げ体２０の上面２１に敷く。資材積み上げ体２０上で、ロール状の養生シート１０を転がしながら展開（拡開）してもよい。このとき、上面シート部１１の平シート材１５が上向きになるようにする。
次に、一対の側面シート部１２を、資材積み上げ体２０の側面２２に沿って垂らす。
【００３６】
次に、図４（ａ）に示すように、内側端面シート部１３Ａを資材積み上げ体２０の端面２３に被せる。このとき、図５（ａ）に示すように、面ファスナー４１が外側に現れている。
続いて、図４（ｂ）に示すように、中間端面シート部１３Ｂを内側端面シート部１３Ａの外側に重ねる。このとき、図５（ｂ）に示すように、面ファスナー４１，４２どうしが貼り合わされる。これら面ファスナー４１，４２は互いに直交（交差）するように延びているから、多少のずれがあっても確実に貼り合わせることができる。また、図５（ｃ）に示すように、面ファスナー４３が外側に現れる。
続いて、図４（ｃ）に示すように、外側端面シート部１３Ｃを中間端面シート部１３Ｂの外側に重ねる。このとき、図５（ｄ）に示すように、面ファスナー４３，４４どうしが貼り合わされる。これら面ファスナー４３，４４は互いに直交（交差）するように延びているから、多少のずれがあっても確実に貼り合わせることができる。
これによって、３つの端面シート部１３を簡単に接合することができる。接合手段４０を面ファスナー４１〜４４によって構成することで、構造を簡素化でき、かつ材料コストを安価にできる。
【００３７】
このようにして、養生シート１０を資材積み上げ体２０に簡単に被せることができる。各シート部１１，１２，１３の寸法形状が、資材積み上げ体２０の各面２１，２２，２３の寸法形状に合わせてあるから、養生シート１０によって資材積み上げ体２０の全体を簡単に覆うことができる。これによって、資材積み上げ体２０が、野積み期間中、雨、風に晒されたり、塵埃を被ったりするのを防止できる。
【００３８】
資材積み上げ体２０の互いに直交する面２１〜２３どうしで作る角部や縁部には、シート部１１，１２，１３どうしのほぼ直角をなす折り目１０ｅ，１０ｆや合せ目１０ｇが被さる。したがって、養生シート１０を破れにくくすることができる。
しかも、各シート部１１，１２，１３の材質自体が破れにくいだけでなく、各シート部１１，１２，１３が平シート材１５と波形シート材１６からなる二層シート構造であるために、シート部１１，１２，１３にコシ（剛性）を付与できる。したがって、養生シート１０を一層破れにくくすることができる。
この結果、養生シート１０を長期間、使い回すことができ、ランニングコストを低減できる。
【００３９】
養生シート１０の寸法形状が資材積み上げ体２０に合わせられ、かつ各シート部１１，１２，１３がコシ（剛性）を有する二層シート構造であるため、養生シート１０にシワ状の凹みができにくい。したがって、雨水や塵埃が溜まりにくい。しかも、上面シート部１１の上面が平坦であるため、上面シート部１１の上に雨水や塵埃が溜まりにくい。さらに、側面シート部１２の外面には、上下に延びる凹溝１６ｂが形成されているため、該凹溝１６ｂに沿って雨水を流下させることができる。
【００４０】
建築資材２９を建て込むために、資材積み上げ体２０から建築資材２９を取り出す際は、外側端面シート部１３Ｃの面ファスナー４４を剥がし、続いて中間端面シート部１３Ｂの面ファスナー４２を剥がす。これによって、３つの端面シート部１３を簡単に分離できる。更に、養生シート１０をめくって、資材積み上げ体２０から建築資材２９を取り出すことができる。
前述したように、養生シート１０の外面には雨水や塵埃があまり溜まっていないから、養生シート１０をめくる際、資材積み上げ体２０を汚さないようにできる。
【００４１】
養生シート１０の不使用期間中は、養生シート１０を折り畳み（図２（ａ））、更にロール状に巻いておくことができる。ロール状に巻いた養生シート１０は、図２（ｂ）に示すように、水平に置いてもよく、図２（ｃ）に示すように、立てて置いてもよい。これによって、養生シート１０をコンパクトにでき、保管スペースが小さくて済む。また、養生シート１０の運搬を容易化できる。
【００４２】
次に、本発明の他の実施形態を説明する。以下の実施形態において既述の形態と重複する構成に関しては図面に同一符号を付して説明を省略する。
＜第２実施形態＞
図１０〜図１３は、本発明の第２実施形態を示したものである。図１０に示すように、第２実施形態における養生シート１０Ｂは、一対（２つ）の端面シート部１３を有している。各端面シート部１３は、上面シート部１１の長手方向の端部に端側折り目１０ｅを介して連なっている。
【００４３】
図１３に示すように、資材積み上げ体２０に養生シート１０Ｂを被せた状態で、側面シート部１２と端面シート部１３どうしが互いに直交するとともに、これらシート部１２，１３の縁どうしが合わさっている。この合せ目１０ｇに係着手段３０が設けられている。係着手段３０によって、シート部１２，１３の縁どうしが分離可能に係着されている。
【００４４】
係着手段３０は、例えば次のように構成されている。
図１０に示すように、側面シート部１２の縁には、挿し込み片３１が突出するように形成されている。好ましくは、挿し込み片３１は、側面シート部１２と同じシート材によって構成され、側面シート部１２と一体に連なっている。なお、挿し込み片３１が、側面シート部１２とは別体であって、側面シート部１２と溶着等で接合されていてもよい。
端面シート部１３の縁には、スリット状の被挿し込み部３２が形成されている。
側面シート部１２と端面シート部１３とが互いにほぼ直交された状態において、挿し込み片３１が被挿し込み部３２に挿し入れられて係着されている。
なお、挿し込み片３１が端面シート部１３に設けられ、被挿し込み部３２が側面シート部１２に設けられていてもよい。
図１１及び図１２に示すように、養生シート１０Ｂが展開（拡開）、折り畳み、巻回可能であることは第１実施形態と同様である。
【００４５】
図１３に示すように、養生シート１０Ｂによって資材積み上げ体２０を養生する際は、上面シート部１１を資材積み上げ体２０の上面２１に被せ、一対の側面シート部１２を資材積み上げ体２０の側面２２に被せ、一対の端面シート部１３を資材積み上げ体２０の端面２３に被せる。その後、挿し込み片３１を被挿し込み部３２に挿し込む。これによって、面シート部１２と端面シート部１３とを簡単に係着でき、これらシート部１２，１３どうしの合せ目１０ｇを簡単に閉止することができる。したがって、雨水や塵埃が合せ目１０ｇから入り込むのを抑制できる。
建築資材２９を建て込むために、資材積み上げ体２０から建築資材２９を取り出す際は、挿し込み片３１をスリット状の被挿し込み部３２から引き抜く。これによって、側面シート部１２と端面シート部１３との係着状態を簡単に解除できる。
挿し込み片３１及びスリット状の被挿し込み部３２からなる係着手段３０は、構造が簡素で、作製が容易であり、製造コストを低減できる。
【００４６】
＜第３実施形態＞
図１４は、シート構造の変形態様を示したものであり、養生シート１０Ｃの上面シート部１１と側面シート部１２の端部どうしが平行に重ねられて合掌貼りされている。該合掌貼り部分が側方折り目１０ｆとなり、側面シート部１２が上面シート部１１に対して回転可能である。これによって、養生シート１０Ｃが折り畳まれたり（図１４（ａ））、拡開されて養生対象２０に被せられたりできる（図１４（ａ））。
【００４７】
＜第４実施形態＞
図１５は、シート構造の他の変形態様を示したものであり、養生シート１０Ｄの側面シート部１２Ｄが、平板状になっている。側面シート部１２Ｄは、ラミネートフィルムや織布にて構成され、或る程度の強度を有している。上面シート部１１と側面シート部１２Ｄとは、第３実施形態（図１４）と同様の合掌貼りによって接合されている。
【００４８】
本発明は、前記実施形態に限定されるものではなく、その趣旨を逸脱しない範囲において種々の改変をなすことができる。
例えば、養生対象は、建物用の建築資材に限られず、トンネルなどの土木構造物用の土木資材であってもよい。
端面シート部１３が、上面シート部１１とは別のシート材で構成され、上面シート部１１と溶着によって接合されていてもよい。
側面シート部１２が、上面シート部１１と共通のシート材で構成され、上面シート部１１と側面シート部１２が一体に連なっていてもよい。
側面シート部１２又は端面シート部１３が、不織布などの水（液体）の透過を阻止する一方、気体の透過を許容するシートで構成されていてもよい。
凹凸シート材は、波形シート材１６に限られない。凹凸シート材の凸部は、円柱形でもよく、円錐形でもよい。
シート部１１，１２，１３の少なくとも１つ又は全部が、平シート材１５と凹凸シート材の二層シート構造ではなく、単層シート構造であってもよい。
あるいは、シート部１１，１２，１３の少なくとも１つ又は全部が、三層シート構造であってもよく、一対の平シートの間に波形シート材を挟んだダンボール構造であってもよい。
接合手段４０は、面ファスナーに限られず、線ファスナーなどであってもよい。
係着手段３０は、ボタン、面ファスナー、線ファスナー、磁石、ハトメ及び紐などで構成されていてもよい。
側方折り目１０ｆにおいて、上面シート部１１と側面シート部１の縁どうしが封筒貼りされていてもよい。
端面シート部１３としては、側面シート部１２に連なるものだけが有り、上面シート部１１に連なる端面シート部１３は省略されていてもよい。一対の側面シート部１２にそれぞれ端面シート部１３Ａ，１３Ｂが連なり、これら端面シート部１３Ａ，１３Ｂどうしが互いに重ね合わされて接合可能である一方、上面シート部１１に連なる端面シート部１３は省略されていてもよい。さらに第２実施形態の係着手段３０が、上面シート部１１と端面シート部１３との間に設けられていてもよい。
【００４９】
複数の実施形態を互いに組み合わせてもよい。例えば、第１実施形態において、端面シート部１３の端側折り目１０ｅ以外の縁と側面シート部１２又は上面シート部１１の縁とが、第２実施形態の係着手段３０によって係着されるようになっていてもよい。第４実施形態（図１５）の側面シート部１２Ｄが、第１実施形態（図８）と同様の突当て溶着によって上面シート部１１と接合されていてもよい。
上面シート部１１と端面シート部１３とが、互いに別のシート材で構成され、かつ第１〜第４実施形態における上面シート部１１と側面シート部１２，１２Ｄの接合態様と同様にして接合されていてもよい。
【産業上の利用可能性】
【００５０】
本発明は、例えば、建築現場において野積みされた建築資材に被せるカバーに適用できる。
【符号の説明】
【００５１】
１０，１０Ｂ      養生シート
１０ａ，１０ｂ    長尺シート部材
１０ｅ    端側折り目
１０ｆ    側方折り目
１０ｇ    合せ目
１１      上面シート部
１２，１２Ｄ  側面シート部
１３      端面シート部
１３Ａ    内側端面シート部
１３Ｂ    中間端面シート部
１３Ｃ    外側端面シート部
１５      平シート材
１６      波形シート材（凹凸シート材）
１６ａ    凸条（凸部）
１６ｂ    凹溝（凹部）
１７      空気層
２０      資材積み上げ体（養生対象）
２１      上面
２２      側面
２３      端面
２９      建築資材
３０      係着手段
３１      挿し込み片
３２      被挿し込み部
４０      接合手段
４１〜４４    面ファスナー
【図１】
2019157506.tif 000003
【図２】
2019157506.tif 000004
【図３】
2019157506.tif 000005
【図４】
2019157506.tif 000006
【図５】
2019157506.tif 000007
【図６】
2019157506.tif 000008
【図７】
2019157506.tif 000009
【図８】
2019157506.tif 000010
【図９】
2019157506.tif 000011
【図１０】
2019157506.tif 000012
【図１１】
2019157506.tif 000013
【図１２】
2019157506.tif 000014
【図１３】
2019157506.tif 000015
【図１４】
2019157506.tif 000016
【図１５】
2019157506.tif 000017